(57)【要約】【課題】  溶接電極のピッチ変更を容易に行うことのできる金網溶接装置を提供すること。【解決手段】  縦筋を搬入する搬入ローラと、前記搬入ローラによって搬入された縦筋の先端部を揃える先端揃え部と、適宜間隔で横筋を供給する横筋供給部と、前記縦筋と横筋とを溶着するべく移動レールに沿って幅方向へ移動可能に複数配置された溶接電極と、前記溶接電極に固定された縦筋ガイドと、前記溶接電極の間隔を規定する複数のブロックカムと、前記ブロックカムの両端に配置された位置決めシリンダとを備え、前記ブロックカムの取り付け角度を変更することにより前記溶接電極の間隔が変更可能であるので、製造する金網の縦筋ピッチ変更を容易に行うことができる。【選択図】  図１
2005319500.tif 000002
【特許請求の範囲】
【請求項１】
縦筋を搬入する搬入ローラと、
前記搬入ローラによって搬入された縦筋の先端部を揃える先端揃え部と、
適宜間隔で横筋を供給する横筋供給部と、
前記縦筋と横筋とを溶着するべく移動レールに沿って幅方向へ移動可能に複数配置された溶接電極と、
前記溶接電極に固定された縦筋ガイドと、
前記溶接電極の間隔を規定する複数のブロックカムと、
前記ブロックカムの両端に配置された位置決めシリンダとを備え、
前記ブロックカムの取り付け角度を変更することにより前記溶接電極の間隔が変更可能であることを特徴とする金網溶接装置。
【請求項２】
前記ブロックカムは、長方形をしており、２段階に溶接電極の間隔を調整できることを特徴とする請求項１に記載の金網溶接装置。
【請求項３】
前記ブロックカムは、多角形をしており、複数段階に溶接電極の間隔を調整できることを特徴とする請求項１に記載の金網溶接装置。
【請求項４】
前記複数の溶接電極は、中央の１つが固定されており、両側に配置された溶接電極が移動可能に配置されたことを特徴とする請求項１〜３項の何れか１項に記載の金網溶接装置。
【発明の詳細な説明】
【技術分野】
【０００１】
本発明は、線材を溶着することによって形成する金網の縦筋ピッチを任意に調整することのできる金網溶接装置に関する。
【背景技術】
【０００２】
一般に、従来の金網溶接装置の場合、縦筋ピッチの異なる金網を製造する際に、作業者がそれぞれ溶接電極を溶接ピッチに応じて手動で幅方向へ移動させ、位置決めした後にロックしていた。
【発明の開示】
【発明が解決しようとする課題】
【０００３】
しかし、従来の作業者がそれぞれ溶接電極を溶接ピッチに応じて手動で移動する装置では、設定作業が繁雑であるとともに、所謂段取り換えに時間を要すると云う欠点が存在した。
【０００４】
この発明は上記に鑑み提案されたもので、短時間で製造する金網の縦筋ピッチの変更を行うことのできる金網溶接装置を提供することを目的とする。
【課題を解決するための手段】
【０００５】
上記目的を達成する為に、本発明の金網溶接装置は、縦筋を搬入する搬入ローラと、前記搬入ローラによって搬入された縦筋の先端部を揃える先端揃え部と、適宜間隔で横筋を供給する横筋供給部と、前記縦筋と横筋とを溶着するべく移動レールに沿って幅方向へ移動可能に複数配置された溶接電極と、前記溶接電極に固定された縦筋ガイドと、前記溶接電極の間隔を規定する複数のブロックカムと、前記ブロックカムの両端に配置された位置決めシリンダとを備え、前記ブロックカムの取り付け角度を変更することにより前記溶接電極の間隔が変更可能であることを特徴としている。
【０００６】
また、請求項２に記載の発明において、前記ブロックカムは、長方形をしており、２段階に溶接電極の間隔を調整できることを特徴とする。
【０００７】
また、請求項３に記載の発明において、前記ブロックカムは、多角形をしており、複数段階に溶接電極の間隔を調整できることを特徴とする。
【０００８】
また、請求項４に記載の発明において、前記複数の溶接電極は、中央の１つが固定されており、両側に配置された溶接電極が移動可能に配置されたことを特徴とする。
【発明の効果】
【０００９】
この発明は上記した構成からなるので、以下に説明するような効果を奏することができる。
【００１０】
請求項１に記載の発明では、縦筋を搬入する搬入ローラと、前記搬入ローラによって搬入された縦筋の先端部を揃える先端揃え部と、適宜間隔で横筋を供給する横筋供給部と、前記縦筋と横筋とを溶着するべく移動レールに沿って幅方向へ移動可能に複数配置された溶接電極と、前記溶接電極に固定された縦筋ガイドと、前記溶接電極の間隔を規定する複数のブロックカムと、前記ブロックカムの両端に配置された位置決めシリンダとを備え、前記ブロックカムの取り付け角度を変更することにより前記溶接電極の間隔が変更可能であるので、容易に溶接電極の間隔を変更することができる。したがって、製造する金網の縦筋ピッチを自由に変更することができる。
【００１１】
請求項２に記載の発明では、前記ブロックカムは、長方形をしており、２段階に溶接電極の間隔を調整できるので、溶接電極の間隔を容易に２段階に変更することができる。
【００１２】
請求項３に記載の発明では、前記ブロックカムは、多角形をしており、複数段階に溶接電極の間隔を調整できるので、溶接電極の間隔を容易に複数段階に変更することができる。横筋の溶接間隔を手軽に複数段階に変更することができる。
【００１３】
請求項４に記載の発明では、前記複数の溶接電極は、中央の１つが固定されており、両側に配置された溶接電極が移動可能に配置されたので、製造する金網の幅を中央を基準にして調整することができる。
【発明を実施するための最良の形態】
【００１４】
製造する金網の縦筋ピッチの変更を短時間で達成するという目的をブロックカムの幅により溶接電極のピッチを変更することにより容易に達成することができる。
【実施例】
【００１５】
以下、本発明の一実施例を説明する。図１は、本発明に係る金網溶接装置の一例を示す正面図、図２は本発明の金網溶接装置を示す側面図、図３は本発明の金網溶接装置を示す平面図である。ここで、金網溶接装置１０は、縦筋１１を搬入する搬入ローラ１２と、前記搬入ローラ１２によって搬入された縦筋１１の先端部を揃える先端揃え部１３と、適宜間隔で横筋１４を供給する横筋供給部１５と、前記縦筋１１と横筋１４とを溶着するべく移動レール（ＬＭレール）１６に沿って幅方向へ移動可能に複数配置された溶接電極１７と、前記溶接電極１７の間隔を規定する複数のブロックカム１８と、前記ブロックカム１８の両端に配置された位置決めシリンダ１９とを備えている。
【００１６】
搬入ローラ１２は、縦筋１１を水平に保持搬送するべく、先端揃え部１３の後方に複数個回転自在に配置されている。また、各搬入ローラ１２は、駆動モータ２５によってチェーン等で回転駆動される。搬入ローラ１２の水平レベルは、溶接電極１７の溶接位置と等しく設置されている。また、搬入ローラ１２の先には、第１ピンチローラ２６と中間ストッパ２７が配置されており、更にその先に第２ピンチローラ２０と先端揃え部１３が設置されている。
【００１７】
溶接電極１７は、溶接レベルで固定された下チップ２２と加圧シリンダ２３によって上下動可能に支持された上チップ２４とがＬＭナット３４を有したＣ形フレーム２８によって支持されており、このＣ形フレーム２８は、本体フレーム２１に横架された移動レール１６に摺動可能に配置されている。また、複数の溶接電極１７は、中央の溶接電極１７ａが固定されており、両側に配置された溶接電極１７が移動可能に配置されている。更に、上チップ２４，下チップ２２には、電源３５からの電流を導く導線３６が接続されている。
【００１８】
また、それぞれＣ形フレーム２８の背面側には、ブロックカム１８が回転可能に支持軸２９に取り付けられており、隣接するブロックカム１８が互いに当接するように配置されている。図６（ａ）に示す例では、ブロックカム１８は、長方形であり短辺同士が当接する場合と、長辺同士が当接する場合でブロックカム１８の間隔が変化する。また、図７に示すように、ブロックカム１８’の形状を回転中心Ｏから対向する各辺３１，３２，３３までの長さＲ１、Ｒ２、Ｒ３がそれぞれ異なる六角形に構成した場合、溶接電極１７の間隔をそれぞれ２Ｒ１、２Ｒ２，２Ｒ３の３段階に変更することができる。更に、ブロックカム１８は、取り外して別の大きさの物と交換することもできる。また、図６（ｂ）に示すように、ブロックカム１８の両端には、位置決めシリンダ１９が配置されており、ブロックカム１８の角度を変更或いは交換する際に、一旦この位置決めシリンダ１９を緩め、角度を変更、或いは交換した後に再び両端から押圧固定する。
【００１９】
中間ストッパ２７は、搬入ローラ１２によって搬送された縦筋１１の先端を揃える役目をする。一旦、先端の揃えられた縦筋は、第１ピンチローラ２６，第２ピンチローラ２０によって先端揃え部１３まで搬送され、各縦筋の先端を揃えると共に搬送のタイミングを待つ。横筋供給部１５は、縦筋１１と溶接する横筋１４を所定の間隔で供給する。
【００２０】
以上のように構成された金網溶接装置１０は、ブロックカム１８の取り付け角度を変更することにより、溶接電極１７の間隔を容易に変更することができる。したがって、大幅に段取り変えの時間を短縮できる。
【００２１】
なお、以上の説明では、溶接電極１７がＣ形フレーム２８によって支持される場合について説明したが、上下分離形のフレームに支持される形式であってもよい。
【図面の簡単な説明】
【００２２】
【図１】図１は、本発明に係る金網溶接装置の一例を示す正面図である。
【図２】図２は、同金網溶接装置を示す側面図である。
【図３】図３は、同金網溶接装置を示す平面図である。
【図４】図４は、同金網溶接装置の溶接電極を示す要部正面図である。
【図５】図５は、同金網溶接装置の溶接電極を示す要部側面図である。
【図６】図６（ａ）は、同金網溶接装置に使用されるブロックカムを示す背面図、（ｂ）は、同ブロックカムを示す要部断面図である。
【図７】図７は、同ブロックカムの他の実施例を示す説明図である。
【符号の説明】
【００２３】
１０      金網溶接装置
１１      縦筋
１２      搬入ローラ
１３      先端揃え部
１４      横筋
１５      横筋供給部
１６      移動レール
１７      溶接電極
１８      ブロックカム
１９      位置決めシリンダ
２０      第２ピンチローラ
２１      本体フレーム
２２      下チップ
２３      加圧シリンダ
２４      上チップ
２５      駆動モータ
２６      第１ピンチローラ
２７      中間ストッパ
２８      Ｃ形フレーム
２９      支持軸
３１、３２、３３  辺
３４      ＬＭナット
３５      電源
３６      導線
【図１】
2005319500.tif 000003
【図２】
2005319500.tif 000004
【図３】
2005319500.tif 000005
【図４】
2005319500.tif 000006
【図５】
2005319500.tif 000007
【図６】
2005319500.tif 000008
【図７】
2005319500.tif 000009